(57)【要約】      （修正有）【課題】遊技球の発射を無駄にする期間を短縮しつつ、遊技進行上における、一定の不均衡の是正を維持して遊技趣向性を高める遊技機を提供する。【解決手段】外れ口用球検出センサによる遊技球ＰＢの検出を、無効期間から有効期間に切り替える契機としたため、例えば、役物領域１０５内の遊技球ＰＢが、外れ口用球検出センサで検出された直後に、特定入賞口１１８に遊技球ＰＢが入賞すると、通常よりも有利な状態で遊技球ＰＢが回転振分部に到達する遊技仕様を構築することができる。このため、このときに役物領域１０５に流入した遊技球ＰＢは、それ以外の機会に流入した遊技球ＰＢよりも、特定領域（Ｖ入賞口）へ案内しやすくなる可能性がある。【選択図】図２
2015083092.tif 000002
【特許請求の範囲】
【請求項１】
開閉動作する可動部材、及び前記可動部材の開放時に遊技球が流入可能な特別領域を備えた電動役物装置を有する遊技機において、
前記電動役物装置の特別領域内に、遊技球が通過可能な複数の流路を設け、当該電動役物装置の特別領域に流入した遊技球を前記複数の流路の何れかに振り分ける振分機構部を設けたことを特徴とする遊技機。
【請求項２】
前記可動部材は、普通図柄抽選に当選することで開放して、遊技球を前記特別領域内に流入可能とし、
前記流路の数は、入賞することで特別図柄抽選の実行の契機となる特別図柄始動入賞口に案内する流路と、入賞することで予め定めた数の賞球の実行の契機となる一般入賞口に案内する流路と、を選択的に組み合わせることで設定されていることを特徴とする請求項１記載の遊技機。
【請求項３】
前記振分機構部は、前記遊技球の自重による流動に基づいて、いずれかの流路に振り分けられる構成としたことを特徴とする請求項１又は請求項２記載の遊技機。
【請求項４】
前記振分機構部は、駆動手段の駆動力で動作する案内部材に案内されることで、いずれかの流路に振り分けられる構成としたことを特徴とする請求項１又は請求項２記載の遊技機。
【請求項５】
前記振分機構部は、前記複数の流路に対して、均等な振分率で振り分けられることを特徴とする請求項１〜請求項４の何れか１項記載の遊技機。
【請求項６】
前記振分機構部は、前記複数の流路に対して、ランダムに振り分けられることを特徴とする請求項１〜請求項４の何れか１項記載の遊技機。
【請求項７】
遊技盤上の所定の位置での遊技球検出に基づき、第１の抽選を実行する第１の抽選手段と、
前記第１の抽選手段による抽選の結果が当選の場合に動作して、特別領域内への遊技球流入口を開放する可動機構部と、
前記特別領域内に設けられ、少なくとも１つが第２の抽選の契機となる始動入賞口へ案内する流路とされた複数の流路、及び前記特別領域内に流入した遊技球を当該複数の流路の何れかに振り分ける振分機構部を備えた振分手段と、
を有する遊技機。
【請求項８】
前記第２の抽選による抽選の結果が当選の場合に、遊技者に対して有利となる特別遊技が実行され、当該特別遊技終了後の通常遊技における特定の期間中は、当該特定の期間以外の通常遊技の期間中よりも、前記第１の抽選に基づいて実行される、前記可動機構部の動作による遊技球流入口の開放機会を増加させることを特徴とする請求項７記載の遊技機。
【発明の詳細な説明】
【技術分野】
【０００１】
本発明は、遊技球の流動に影響を与える可動部材を有する遊技機に関するものである。
【背景技術】
【０００２】
従来、遊技球が通過することによって遊技者に有利な遊技状態となる契機を与える特別領域と、特別領域の上流側に配設されて、遊技球の転動に影響を与える可動部材と、を備える遊技機が知られている。
【０００３】
可動部材を用いた第１の遊技仕様として、特別図柄始動入賞口に入賞すると特別図柄抽選がなされ、この特別図柄抽選の結果、当たりとなると、大入賞口が所定期間、所定回数開放され、遊技球の入賞率を高める処理が実行される遊技機がある。
【０００４】
前記第１の遊技仕様の遊技機では、特別図柄始動入賞口に可動部材を設け、可動部材の開閉によって当該特別図柄始動入賞口（特別領域）への入賞確率を変化させる場合がある。
【０００５】
この可動部材は、電動役物に属するものであり、例えば、可動部材が特別図柄始動入賞口に設けられた電動チューリップであり、当該電動チューリップの開閉動作パターンは、遊技盤に設けた普通図柄始動入賞口（或いは通過口）に入賞（或いは通過）することで実行される普通図柄抽選によって決定される。
【０００６】
言い換えれば、電動チューリップの開放によって案内される流路の下流側は、必然的に特別図柄始動入賞口となっている。
【０００７】
ここで、可動部材を用いた第２の遊技仕様として、可動部材の動作によって、遊技盤面における通常の遊技球の流路領域とは隔離された領域（役物領域）へ流入可能とする遊技機がある。
【０００８】
前記第２の遊技仕様の遊技機では、可動部材の開放により役物領域に流入された遊技球は、Ｖ領域又は外れ領域に振り分けられ、遊技球がＶ領域に振り分けられることで、遊技球の入賞率を高める処理が実行される（特許文献１参照）。
【０００９】
参考として、特許文献２では、可動部材の動作が単調になることを課題として、遊技球がＶ領域を通過する可能性が低くなる第一動作状態と、遊技球がＶ領域を通過する可能性が高くなる第二動作状態と、をとり得る可動部材の動作制御パターンとして、第一動作状態が定義された期間及び第二動作状態が定義された期間を有する複合制御パターンを備えることが記載されている。
【先行技術文献】
【特許文献】
【００１０】
【特許文献１】特開２００９−０９５４６７号公報
【特許文献２】特開２０１２−０５０５３２号公報
【発明の概要】
【発明が解決しようとする課題】
【００１１】
しかしながら、従来の第１の遊技仕様の遊技機では、可動部材の開放動作によって案内される流路の下流側における遊技球は、必然的に特別図柄抽選が実行されるため、遊技球の転動に影響を与える要素に乏しい。
【００１２】
また、第２の遊技仕様の遊技機では、可動部材の開放動作によって流入した役物領域内で、遊技球が振り分けられるが、可動部材自体を可動させる契機が、遊技盤上に設けられた特定の入賞口に入賞するか否かで決まるため、可動部材が開放されるまでの遊技進行が単調になり易い。
【００１３】
以上を総括すると、遊技球の流動に影響を与える時期は、遊技の進行の特定の遊技時期に限られることが多く、遊技全般として変化に富んだ遊技性を維持することが困難となっている。
【００１４】
本発明は上記事実を考慮し、遊技の進行中の特定の遊技時期に限定されることなく、遊技球の流動に影響を与える機会を増加させ、遊技全般として変化に富んだ遊技性を持たせることができる遊技機を得ることが目的である。
【課題を解決するための手段】
【００１５】
本発明は、開閉動作する可動部材、及び前記可動部材の開放時に遊技球が流入可能な特別領域を備えた電動役物装置を有する遊技機において、前記電動役物装置の特別領域内に、遊技球が通過可能な複数の流路を設け、当該電動役物装置の特別領域に流入した遊技球を前記複数の流路の何れかに振り分ける振分機構部を設けたことを特徴としている。
【００１６】
本発明によれば、電動役物装置の特別領域に流入した遊技球は、一意的に特定の流路に導かれるのではなく、振分機構部で複数の流路の何れかに振り分けられるため、それぞれの流路で異なる結果を見出すことができ、遊技の趣向性を高めることができる。
【００１７】
本発明において、前記可動部材は、普通図柄抽選に当選することで開放して、遊技球を前記特別領域内に流入可能とし、前記流路の数は、入賞することで特別図柄抽選の実行の契機となる特別図柄始動入賞口に案内する流路と、入賞することで予め定めた数の賞球の実行の契機となる一般入賞口に案内する流路と、を選択的に組み合わせることで設定されていることを特徴としている。
【００１８】
遊技者に対して有利度合いが異なる２種類の流路、すなわち、特別図柄始動入賞口に案内する流路と、一般入賞口に案内する流路とを選択的に組み合わせることで、電動役物装置に流入したことによる期待感に加え、さらに遊技者により有利な流路に振り分けられるか否かという期待感を持たせることができる。
【００１９】
また、本発明において、前記振分機構部は、前記遊技球の自重による流動に基づいて、いずれかの流路に振り分けられる構成としたことを特徴としている。
【００２０】
所謂遊技球任せで振り分けが実行されるため、意外性を高めることができる。
【００２１】
さらに、本発明において、前記振分機構部は、駆動手段の駆動力で動作する案内部材に案内されることで、いずれかの流路に振り分けられる構成としたことを特徴としている。
【００２２】
所望の振分率を適宜設定することができる。
【００２３】
また、本発明において、前記振分機構部は、前記複数の流路に対して、均等な振分率で振り分けられることを特徴としている。
【００２４】
振り分けの予測が可能であり、例えば、振り分けに際し、遊技者の技量を反映させることができる。
【００２５】
さらに、本発明において、前記振分機構部は、前記複数の流路に対して、ランダムに振り分けられることを特徴としている。
【００２６】
長い期間の遊技では設計上の振分率に収束させることができ、短い期間の遊技では振り分けに偏りが生じ、遊技性を高めることができる。
【００２７】
本発明は、遊技盤上の所定の位置での遊技球検出に基づき、第１の抽選を実行する第１の抽選手段と、前記第１の抽選手段による抽選の結果が当選の場合に動作して、特別領域内への遊技球流入口を開放する可動機構部と、前記特別領域内に設けられ、少なくとも１つが第２の抽選の契機となる始動入賞口へ案内する流路とされた複数の流路、及び前記特別領域内に流入した遊技球を当該複数の流路の何れかに振り分ける振分機構部を備えた振分手段と、を有している。
【００２８】
本発明によれば、第１の抽選手段は、遊技盤上の所定の位置での遊技球検出に基づき、第１の抽選を実行する。
【００２９】
この第１の抽選手段による抽選の結果が当選すると、可動機構部が動作して、特別領域内への遊技球流入口を開放する。
【００３０】
特別領域内には、振分手段が設けられている。
振分手段は、少なくとも１つが第２の抽選の契機となる始動入賞口へ案内する流路とされた複数の流路を備えており、振分機構部により、特別領域内に流入した遊技球を当該複数の流路の何れかに振り分ける。
【００３１】
すなわち、特別領域内に流入した遊技球は、一意的に特定の流路に導かれるのではなく、振分機構部で複数の流路の何れかに振り分けられるため、それぞれの流路で異なる結果を見出すことができ、遊技の趣向性を高めることができる。
【００３２】
本発明において、前記第２の抽選による抽選の結果が当選の場合に、遊技者に対して有利となる特別遊技が実行され、当該特別遊技終了後の通常遊技における特定の期間中は、当該特定の期間以外の通常遊技の期間中よりも、前記第１の抽選に基づいて実行される、前記可動機構部の動作による遊技球流入口の開放機会を増加させることを特徴としている。
【００３３】
通常遊技において、特別遊技終了後の特定の期間中は、当該特定の期間以外の通常遊技の期間中よりも、第１の抽選に基づいて実行される、可動機構部の動作による遊技球流入口の開放機会を増加させることで、第２の抽選の機会を増やすことができる。
【発明の効果】
【００３４】
以上説明した如く本発明では、遊技の進行中の特定の遊技時期に限定されることなく、遊技球の流動に影響を与える機会を増加させ、遊技全般として変化に富んだ遊技性を持たせることができるという優れた効果を有する。
【図面の簡単な説明】
【００３５】
【図１】第１の実施の形態に係るパチンコ機の正面図である。
【図２】第１の実施の形態に係る遊技盤の正面図である。
【図３】第１の実施の形態に係る普通電動役物装置の正面図である。
【図４】第１の実施の形態に係る制御系のブロック図である。
【図５】第２の実施の形態に係る普通電動役物装置の正面図である。
【発明を実施するための形態】
【００３６】
［第１の実施の形態］
（パチンコ機の構成）
図１に示されるように、パチンコ機１０の前面下部には、化粧パネルとなる下飾り１２が取り付けられている。
【００３７】
また、パチンコ機１０の下飾り１２の上部には、ガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３８】
ガラス枠１６の下部には、一体皿２４が配置されている。一体皿２４の図１の右端部には、鍵穴２７が設けられている。
【００３９】
一体皿２４には、上皿部２８Ｕ、下皿部２８Ｄが設けられている。上皿部２８Ｕの周縁壁部３２における図１の右端部には、球貸ボタン４２と、返却ボタン４４が設けられている。
【００４０】
また、上皿部２８Ｕの周縁壁部３２の左右方向中央部には、遊技者が押圧操作又は回転操作可能な操作部５０が設けられている。この操作部５０は、遊技中において、操作有効期間中に操作することで、演出画像に対して介入することができるようになっており、それぞれの遊技仕様によって設定される。
【００４１】
一方、下皿部２８Ｄには、球抜きボタン３６が設けられ、この球抜きボタン３６を操作することで、下皿部２８Ｄに貯留された遊技球を外部（例えば、所謂「ドル箱」）へ排出することができるようになっている。
【００４２】
また、一体皿２４の右側下部には打球の発射力（飛距離）を調整するためのグリップユニット２６（「（発射ハンドル２６」という場合がある）が取り付けられている。
【００４３】
一体皿２４における下皿部２８Ｄの図１の左側には低音用のスピーカ６０Ｕが配置されている。また、ガラス枠１６の上部角部には、中高音用のガラス枠スピーカ６０Ｌ、６０Ｒが内蔵されている。なお、スピーカ６０Ｌ、６０Ｒ、６０Ｕを総称して、スピーカ６０という場合がある。スピーカ６０は、例えば、照明演出に同期して、音楽、音声、効果音を出力する。
【００４４】
（遊技盤の構成）
図２に、第１の実施の形態に適用可能な遊技盤１８の構成を示す。なお、この遊技盤１８の構成は一例であり、本発明は、当該遊技盤１８の構成に限定されるものではない。
【００４５】
図２に示される遊技盤１８は、基板（透明アクリル板やベニヤ板等）の適宜箇所に樹脂製シート状のセルが貼着されており、盤面が形成される。
【００４６】
盤面の外周端部付近には、円弧状の外レール１０２及び内レール１０４が取り付けられ
外レール１０２及び内レール１０４によって囲まれた円形状の領域が、遊技球ＰＢが転動して遊技が実行される遊技領域とされている。
【００４７】
遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、機械的に動作する可動役物装置（図示省略）と、各種演出等の映像を表示する表示部１０６を備えている。可動役物装置は、詳細な説明は省略するが、後述する特別図柄抽選（第２の抽選）の結果に基づいて、遊技者に当選の期待感を持たせるための動作として、表示部１０６の前面にせり出したり、表示部１０６の表示面を広狭したり等の動作演出が実行されるようになっている。
【００４８】
一方、表示部１０６は、ＬＣＤ表示器が適用されている。なお、第１の実施の形態では、表示部１０６としてＬＣＤ表示器を適用したが、ＬＣＤ表示器に限らずＬＥＤ等が適用可能であり、特に表示形態に限定されるものではない。
【００４９】
表示部１０６では、例えば、特別図柄抽選の結果を報知するための図柄変動演出が実行される。一例としては、３列の図柄列を個別にスクロール変動させ、その背景画像として動画を表示する。
【００５０】
前記図柄列のスクロール変動において、その内の２つの図柄列が変動を停止したときの図柄が同一図柄となった場合を「リーチ」として遊技者に期待感を持たせる演出を実行し、最終列が停止して、既に停止している２列の図柄と同一図柄となった場合は特別図柄抽選の当選、異なる図柄となった場合は特別図柄抽選の落選の報知となる。
【００５１】
センター役物１０５の下辺部は、ステージ１０５Ｓが形成されている。ステージ１０５Ｓには、釘１９等で跳ね返ることで受け入れた遊技球ＰＢ、或いは図示しないワープ路に案内されて受け入れた遊技球ＰＢが送り込まれるようになっている。
【００５２】
ステージ１０５Ｓは、例えば、傾斜面や突起部等が形成され、前記遊技球ＰＢの移動が当該傾斜面や突起部等により不規則に変化し、最終的にステージ１０５Ｓの図２の手前端部から遊技盤１８へ戻されるようになっている。
【００５３】
また、遊技盤１８の遊技領域の最下位置には、外れ球を遊技盤１８の裏側へ排出するアウト口１２４が設けられている。
【００５４】
さらに、センター役物１０５の図２に向かって左右側には、それぞれ普通図柄抽選（第１の抽選）の始動機能を持つ通過ゲート１１８Ａ、通過ゲート１１８Ｂが配置されている。この通過ゲート１１８Ａ、通過ゲート１１８Ｂには、それぞれ通過ゲートセンサ１１８ＡＳ、１１８ＢＳ（図４参照）が設けられている。
【００５５】
例えば、遊技仕様において、遊技球ＰＢの打ち方として「左打ち」及び「右打ち」が指示される場合がある。この場合、通過ゲート１１８Ａは「左打ち」の場合に適用され、通過ゲート１１８Ｂは「右打ち」の場合に適用される。
【００５６】
遊技盤１８において、「右打ち」指示のときに適用される通過ゲート１１８Ｂの斜め左下方には、特別図柄抽選の大当たり専用のアタッカー１１２が配置されている。
【００５７】
アタッカー１１２には、開閉扉１１６が設けられている。この開閉扉１１６が、アタッカーソレノイド１４８（図４参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００５８】
また、遊技盤１８において、「左打ち」指示のときに適用される通過ゲート１１８Ａの下方には、複数の一般入賞口１２０（第１の実施の形態では、２個の一般入賞口１２０Ａ、１２０Ｂとする。）が設けられている。一般入賞口１２０は、入賞すると予め定められた数の賞球が実行されるものである。この一般入賞口１２０Ａ、１２０Ｂは、２個に限られるものではなく、例えば、基本的なベースや入賞率等の設計上の演算によってその数を決めればよい。
【００５９】
ここで、図２に示される如く、第１の実施の形態では、センター役物１０５の下部に、普通電動役物装置２００が配置されている。普通電動役物装置２００には、特別図柄始動入賞口１３０及び一般入賞口１２０Ｃが設けられている。遊技球ＰＢが特別図柄始動入賞口１３０入賞すると特別図柄抽選が実行される。一般入賞口１２０Ｃは、前述した一般入賞口１２０に属するものであり、予め定められた数の賞球が実行される。なお、普通電動役物装置２００の詳細については後述する。
【００６０】
前記普通電動役物装置２００の特別図柄始動入賞口１３０に遊技球ＰＢが入賞すると、特別図柄抽選が実行される。
【００６１】
この特別図柄抽選において「大当たり」に当選すると、前記アタッカー１１２の開閉扉１１６が所定のパターンで開閉動作し、これを所定回数（所定ラウンド）繰り返すようになっている。このように明らかに遊技者に有利な遊技の状態を、「特別遊技」「大役処理」等と言い、通常遊技の状態と区別する。なお、第１の実施の形態では、基本的に、通常遊技中は「左打ち」が指示され、特別遊技中は「右打ち」が指示される。なお、「右打ち」の指示は、特別遊技中に限定されず、特別遊技終了後の一定期間の通常遊技中でも指示される場合がある。
【００６２】
前記特別図柄抽選の抽選結果である当選（「大当たり」）は、主として表示部１０６の図柄変動演出において報知され、この図柄変動演出中、或いは、前記大役処理中の場合は、抽選結果の報知を待機（保留・記憶）し、順次報知していくようになっている。また、図柄変動演出と共に、動物などが擬人化されたキャラクタが表示され、特別図柄抽選で当選した旨を暗示させることにより、遊技者に期待感を持たせるといった、視覚的な演出をすることもあり、その場合は効果音によって聴覚からも遊技者の興趣を増大させる。この演出は、予告演出の一種として適用可能である。
【００６３】
（普通電動役物装置２００）
図３に示される如く、普通電動役物装置２００は、普通電動役物として電動チューリップ２０２を備えている。電動チューリップ２０２は、電動チューリップソレノイド１４７（図４参照）の駆動力で開閉されるようになっている。
【００６４】
電動チューリップ２０２が閉止状態のときは、釘１９及び突起部２０４により遊技球ＰＢの流入が阻止されるようになっている。一方、電動チューリップ２０２が開放状態のときは、遊技球ＰＢの流入が可能となる。
【００６５】
電動チューリップ２０２は、遊技球ＰＢが前記通過ゲート１１８Ａ又は通過ゲート１１８Ｂを通過したとき（通過ゲートセンサ１１８ＡＳ又は通過ゲートセンサ１１８ＢＳで遊技球ＰＢを検出したとき）に実行される普通図柄抽選に当選することで開放するようになっている。
【００６６】
電動チューリップ２０２の下方には、振分機構部２０６が配置されている。
【００６７】
振分機構部２０６は、電動チューリップ２０２が開放したときに流入した遊技球ＰＢを案内する円筒部２０８と、当該円筒部２０８によって案内された遊技球ＰＢを前記特別図柄始動入賞口１３０又は一般入賞口１２０Ｃの何れかに振り分ける振分部２１０と、を備える。
【００６８】
振分部２１０は、輪状の球受路２１１と、球受路２１１の内側に配置されたすり鉢状の皿部２１２を有している。皿部２１２には、２個の円孔が設けられ、一方が特別図柄始動入賞口１３０とされ、他方が一般入賞口１２０Ｃとされる。
【００６９】
前記円筒部２０８に案内されて振分部２１０の球受路２１１に到達した遊技球ＰＢは、前記球受路２１１の周縁に沿って接線方向に放出される。このため、遊技球ＰＢは、前記放出したときの速度と、球受路２１１の周縁から皿部２１２の底部までの傾斜との関係で、所謂渦巻状に回転しながら、徐々に皿部２１２の底部へ流動し、その流動過程において特別図柄始動入賞口１３０又は一般入賞口１２０Ｃに入賞する。このような遊技球ＰＢの渦巻状の流動を形成する構造を「クルーン」という場合がある。
【００７０】
特別図柄始動入賞口１３０に入賞した遊技球ＰＢを案内する流路２１４、並びに一般入賞口１２０Ｃに入賞した遊技球ＰＢを案内する流路２１５には、それぞれ特図始動入賞口センサ１３０Ｓ、一般入賞口センサ１２０ＣＳが設けられている。
【００７１】
ここで、電動チューリップ２０２の開閉の契機は、遊技球ＰＢが前記通過ゲート１１８Ａ又は通過ゲート１１８Ｂを通過したときの普通図柄抽選に依存するものである。
【００７２】
より具体的には、前記通過ゲート１１８Ａ、１１８Ｂを遊技球ＰＢが通過した時点で、通過ゲートセンサ１１８ＡＳ又は通過ゲートセンサ１１８ＢＳで遊技球ＰＢを検出し、普通図柄抽選が実行される。普通図柄抽選に当選すると、電動チューリップ２０２を所定時間（所定回数）開閉動作させるというものである。
【００７３】
例えば、特別遊技状態終了後の特定期間の通常遊技状態では、所謂「電チューサポート」を実行することで、ベース（発射数に対する払い出し数の割合）を１００前後に維持するため、電動チューリップ２０２の開閉動作を頻出させることがあり、電動チューリップ２０２の開閉動作は遊技者に認識されやすく、その分、遊技演出に貢献し得る。
【００７４】
これに対して、上記特定期間以外の通常遊技状態では、特別図柄始動入賞口１３０への入賞率（入賞ベース）を考慮した場合に、普通図柄抽選に依存する電動チューリップの開閉動作は、特定期間の通常遊技状態に比べて遊技者に認識されにくく、単調な遊技演出に制限されることが多かった。
【００７５】
そこで、第１の実施の形態では、特定期間以外の通常遊技状態においても、普通図柄抽選に依存する電動チューリップの開閉動作を頻出させるべく、普通電動役物装置２００を設けた。
【００７６】
第１の実施の形態の普通電動役物装置２００によれば、電動チューリップ２０２の開放が、直接的に特別図柄始動入賞口１３０への入賞につながらない構造となっており、遊技仕様のバリエーションを増大させることが可能となる。
【００７７】
例えば、普通電動役物装置２００の皿部２１２での前記特別図柄始動入賞口１３０、一般入賞口１２０Ｃの何れかへの振分率が、それぞれ１／２（均等振分）であれば、単純に電動チューリップ２０２の開放時の遊技球ＰＢの入賞数を２倍にすることが可能であり、前記振分率を調整することで、電動チューリップ２０２の開閉パターンのバリエーションを設定することができる。
【００７８】
すなわち、振分率を特別図柄始動入賞口１３０＜一般入賞口１２０Ｃにした分、電動チューリップ２０２の開放機会を増やすことが可能である。
【００７９】
（制御系の構成）
次に、図４を用いてパチンコ機１０の制御系について説明する。
【００８０】
第１の実施形態に係るパチンコ機１０の制御系は、図４に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００８１】
主制御部１５０からは外部端子１９０を介してホールコンピュータ（図示省略）へ遊技の進行状態を示す情報（始動入賞信号や大当たり信号、図柄確定回数信号等）が送信される。
【００８２】
主制御部１５０には、入力系として、通過ゲート１１８Ａ、１１８Ｂを通過する遊技球ＰＢを検出する通過ゲートセンサ１１８Ｓ、１１８ＢＳ、特別図柄始動入賞口１３０への入賞球を検出する特図始動入賞口センサ１３０Ｓ、「大当たり」の際に開放するアタッカー１１２への入賞球を検出するアタッカーセンサ１１２Ｓ、一般入賞口１２０Ａ、１２０Ｂ、１２０Ｃへの入賞球を検出する一般入賞センサ１２０ＡＳ、１２０ＢＳ、１２０ＣＳが接続されている。
【００８３】
また、主制御部１５０には、出力系として、遊技情報や遊技状態をランプの点灯状態で報知するガイドランプユニット１０９、電動チューリップ２０２を開閉するための電動チューリップソレノイド１４７、アタッカー１１２の開閉扉１１６を開閉するためのアタッカーソレノイド１４８が接続されている。
【００８４】
演出制御部１５２には、入力系として、前記操作部５０が接続されている。また、演出制御部１５２には、出力系として、パチンコ機１０の各種遊技部品に設けられた照明演出用の光源１３７、特別図柄始動入賞口１３０の入賞後の特別図柄抽選実行が保留されていることを示す保留ランプユニット２１６、スピーカ６０（６０Ｌ、６０Ｒ、６０Ｕ）が接続されている。
【００８５】
さらに、演出制御部１５２には、図柄制御部１５６を介して表示部１０６が接続されている。
【００８６】
なお、第１の実施の形態では、演出制御部１５２と図柄制御部１５６とを別の制御部（基板）としたが、これらを別とせずに、同一の制御部（基板）として設けてもよい。
【００８７】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射強度を制御する。
【００８８】
さらに、払出制御部１５４では、外部端子１９１（前述の外部端子１９０と共通でもよい）を介して払出情報をホールに設置されたホールコンピュータ（図示省略）へ送信するようになっている。
【００８９】
以下に第１の実施の形態の作用を説明する。
【００９０】
（第１の実施の形態に係る遊技仕様）
第１の実施の形態では、所謂「左打ち」による遊技が基本（通常遊技）となる。すなわち、表示部１０６を境界として、遊技盤１８の左側を通るように遊技球ＰＢの発射強度を調整することで、風車や釘等の障害物に当接しながら、通過ゲート１１８Ａ及び普通電動役物装置２００へ遊技球ＰＢを導いていき、普通図柄抽選に当選することで電動チューリップ２０２が開放され、遊技球ＰＢの流入を可能とし、振分機構部２０６により特別図柄始動入賞口１３０に入賞すると、特別図柄抽選が実行される。
【００９１】
特別図柄抽選は、表示部１０６にて実行される図柄変動演出によって、遊技者に対し抽選結果の報知が実行される。図柄変動演出は、主制御部１５０からの指示信号等に基づき、図柄変動パターン選択テーブルから図柄変動パターン種が選択されて実行される。
【００９２】
特別図柄抽選に当選すると、アタッカー１１２の開閉扉１１６が、所定時間、所定回数開放して、遊技球の入賞を通常遊技状態よりも飛躍的に高める大役処理が実行される。大役処理は、上記通常遊技とは別に、所謂「右打ち」による遊技となる。
【００９３】
すなわち、表示部１０６を境界として、遊技盤１８の右側を通るように遊技球ＰＢの発射強度を調整することで、風車や釘等の障害物に当接しながら、アタッカー１１２へ遊技球を導いていく。
【００９４】
特別遊技が終了すると、特定期間の通常遊技が実行される。この特定期間の通常遊技では、「右打ち」が継続され、通過ゲート１１８Ｂ及び普通電動役物装置２００へ遊技球ＰＢを導いていき、普通図柄抽選に当選することで電動チューリップ２０２が開放され、遊技球ＰＢの流入を可能とし、振分機構部２０６により特別図柄始動入賞口１３０に入賞すると、特別図柄抽選が実行される。
【００９５】
このとき、通過ゲート１１８Ｂの普通図柄抽選による電動チューリップ２０２の開放機会（開放時間、開放回数）は、前記通過ゲート１１８Ａの普通図柄抽選による電動チューリップ２０２の開放機会よりも多くする。
【００９６】
これにより、遊技者は、例えば、ベース１００前後で、遊技球ＰＢの減りを軽減しながら、特別図柄抽選の機会を増やして遊技を継続することができる。
【００９７】
ここで、第１の実施の形態では、普通電動役物装置２００を設け、この普通電動役物装置２００の内部に特別図柄始動入賞口１３０を設けた。
【００９８】
すなわち、遊技球ＰＢが通過ゲート１１８Ｂを通過すると、これを通過ゲートセンサ１１８ＢＳで検出して、普通図柄抽選を実行する。
【００９９】
普通図柄抽選の結果が当選の場合、電動チューリップ２０２を所定時間、所定回数開放する。
【０１００】
電動チューリップ２０２が開放しているときは、普通電動役物装置２００内に遊技球ＰＢが流入可能となる。
【０１０１】
普通電動役物装置２００に遊技球ＰＢが流入すると、円筒部２０８により、遊技球ＰＢは、振分部２１０における球受路２１１の周縁に対して接線方向に放出される。
【０１０２】
このため、遊技球ＰＢは、放出したときの速度と、球受路２１１の周縁から皿部２１２の底部までの傾斜との関係で、所謂渦巻状に回転しながら、徐々に皿部２１２の底部へ流動し、その流動過程において特別図柄始動入賞口１３０又は一般入賞口１２０Ｃに入賞する（クルーン動作）。
【０１０３】
皿部２１１でのクルーン動作は、徐々に収束していき、結果的に、特別図柄始動入賞口１３０又は一般入賞口１２０Ｃの何れかに入賞する。
【０１０４】
遊技球ＰＢが特別図柄始動入賞口１３０入賞すると特別図柄抽選が実行される。また、遊技球ＰＢが一般入賞口１２０Ｃに入賞すると、予め定められた数の賞球が実行される。
【０１０５】
すなわち、普通電動役物装置２００では、普通図柄抽選に当選して電動チューリップ２０２を開閉動作させ、当該電動チューリップ２０２の開放中に流入した遊技球ＰＢを所定の振分率で特別図柄始動入賞口１３０へ入賞させる構成とした。
【０１０６】
言い換えれば、電動チューリップ２０２の開放による遊技球ＰＢの流入が、必ず特別図柄始動入賞口１３０への入賞には直接的につながらず、遊技球ＰＢの物理的な動向如何によって（遊技球ＰＢの最終到達点が未定のまま）、所定の振分率で特別図柄始動入賞口１３０への入賞させるようにした。
【０１０７】
すなわち、振分率の設定で、電動チューリップ２０２の開放機会を増やすことができ、特定期間以外の通常遊技、すなわち、第１の実施の形態では「左打ち」による通常遊技においても、電動チューリップ２０２の開閉動作を頻出させることができる。
【０１０８】
例えば、特別図柄始動入賞口１３０への入賞率を一定とすることを前提とした場合、普通電動役物装置２００の皿部２１２での前記特別図柄始動入賞口１３０、一般入賞口１２０Ｃの何れかへの振分率が、それぞれ１／２（均等振分）であれば、単純に電動チューリップ２０２の開放時の遊技球ＰＢの入賞数を２倍にすることができる。
【０１０９】
すなわち、一般的な定義としては、特別図柄始動入賞口１３０への入賞率を一定とすることを前提とした場合、特別図柄始動入賞口１３０への振分率を低くすればするほど、電動チューリップ２０２の開閉動作を増やすことができ、電動チューリップ２０２の開閉パターンのバリエーションを設定することができる。
【０１１０】
なお、第１の実施の形態では、振分部２１０を固定配置したが、球受路２１１と皿部２１２との少なくとも一方を回転駆動させるようにしてもよい。
【０１１１】
また、特別図柄始動入賞口１３０への振分率の調整は、開口径によって調整してもよいし、開口数（円孔の数）の割合によって調整してもよい。
【０１１２】
さらに、振分部２１０での振り分けの使い道は、特別図柄始動入賞口１３０、一般入賞口１２０Ｃという組み合わせに限定されるものではなく、特別図柄抽選の当選確率が異なる複数の特別図柄始動入賞口を配置する構成としてもよい。
【０１１３】
また、第１の実施の形態では、単一の振分機構部２０６としたが、複数の振分部を設けてもよい。遊技球ＰＢが複数の振分機構部を順次通過することで、複数回の振り分けが実行され、遊技球ＰＢを様々な方向へ案内することができる。
【０１１４】
さらに、第１の実施の形態では、電動チューリップ２０２が閉止状態の場合は、突起部２０４により、普通電動役物装置２００内に遊技球ＰＢを流入させない構造としたが、特別図柄始動入賞口１３０への入賞率に基づき、突起部２０４を排除して、電動チューリップ２０２の閉止状態でも遊技球ＰＢが入り得る構造としてもよい。
【０１１５】
以上説明したように第１の実施の形態では、通過ゲート１１８Ａ、１１８Ｂの通過による普通図柄抽選の結果に基づいて電動チューリップ２０２を開放しても、これが直接特別図柄始動入賞口１３０への入賞に結びつかず、振分部２１０による振分率に依存させて、特別図柄始動入賞口１３０に入賞させるようにした。このため、遊技球ＰＢの物理的な動向による遊技性を高めることができる。また、振分部２１０の振分率を調整することで、特別図柄始動入賞口１３０への入賞率を変更することなく、電動チューリップ２０２の開放機会を増減することができるため、電動チューリップ２０２（普通図柄抽選）の遊技性を高めることができる。
【０１１６】
（第２の実施の形態）
以下に、本発明の第２の実施の形態について説明する。
【０１１７】
この第２の実施の形態において、前記第１の実施の形態と同一構成部分については、同一の符号を付して、その一部においては構成の説明を省略する。
【０１１８】
第２の実施の形態の特徴は、普通電動役物装置２００Ａの振分機構にある。
【０１１９】
（普通電動役物装置２００Ａ）
図５に示される如く、普通電動役物装置２００Ａは、普通電動役物として電動チューリップ２０２を備えている。
【０１２０】
電動チューリップ２０２が閉止状態のときは、釘１９及び突起部２０４により遊技球ＰＢの流入が阻止されるようになっている。一方、電動チューリップ２０２が開放状態のときは、遊技球ＰＢの流入が可能となる。
【０１２１】
電動チューリップ２０２は、遊技球ＰＢが前記通過ゲート１１８Ａ又は通過ゲート１１８Ｂを通過したときに実行される普通図柄抽選に当選することで開放するようになっている。
【０１２２】
電動チューリップ２０２の下方には、振分機構部２２０が配置されている。
【０１２３】
振分機構部２２０は、中心部に円筒状の回転軸２２２を備えており、当該回転軸２２２の軸線と前記電動チューリップ２０２の開放によって流入（落下）してくる遊技球ＰＢの移動軌跡とがほぼ直角に交差するように配置されている。
【０１２４】
図５に示される如く、振分機構部２２０は、前記回転軸２２２の周面から半径方向に、３枚の羽根板２２４Ａ、２２４Ｂ、２２４Ｃが取り付け突出されている。このため、振分機構部２２０は、軸線方向（図５の正面視）から見ると星型とされ、前記３枚の羽根板２２４Ａ、２２４Ｂ、２２４Ｃの先端を結ぶ線が三角形となる。
【０１２５】
この振分機構部２２０は、ストッパ２２６に干渉することで回転軸２２２を中心とする回転範囲が制限されている。すなわち、１枚の羽根板２２４Ａ（以下、「主板２２４Ａ」という場合がある）が鉛直方向となる位置を基準として、左右に同一の角度だけ傾斜する範囲で回転される。
【０１２６】
図５に示す振分機構部２２０の状態は、前記主板２２４Ａが垂直に対して左に傾斜された状態であり、この状態で電動チューリップ２０２の開放時に遊技球ＰＢが流入すると、遊技球ＰＢは、図５の右側の一般入賞口１２０Ｃに案内される。
【０１２７】
また、遊技球ＰＢの移動に伴って、振分機構部２２０は、回転軸２２２を中心に図５の時計周り方向に回転し、主板２２４Ａが垂直に対して右に傾斜するようになっている。
【０１２８】
このため、次に流入される遊技球ＰＢは、図５の左側の特別図柄始動入賞口１３０に案内され、かつ主板２２４Ａが垂直に対して左に傾斜する。
【０１２９】
このように、電動チューリップ２０２の開放によって流入される遊技球ＰＢは、一般入賞口１２０Ｃ及び特別図柄始動入賞口１３０に交互に振り分けられ、異なる移動軌跡によって案内されることになる。
【０１３０】
ここで、右側の一般入賞口１２０Ｃは、流路２２８によって案内され、左側の特別図柄始動入賞口１３０は、流路２３０に案内される。
【０１３１】
流路２２８、２３０には、それぞれ一般入賞口センサ１２０ＣＳ、特図始動入賞口センサ１３０Ｓが設けられている。
【０１３２】
第２の実施の形態によれば、電動チューリップ２０２の開放で流入してくる遊技球ＰＢとの干渉によって、振分機構部２２０が往復回転動作し、遊技球ＰＢは、一般入賞口１２０Ｃ及び特別図柄始動入賞口１３０に交互に振り分けられる。
【０１３３】
すなわち、振分率が確実な１／２とすることができ、遊技球ＰＢは、電動チューリップ２０２の開放時の流入順で、振り分けることができる。
【０１３４】
なお、第２の実施の形態では、一般入賞口１２０Ｃ及び特別図柄始動入賞口１３０の組み合わせとしたが、複数の特別図柄始動入賞口を配置する構成としてもよい。この場合の特別図柄抽選の当選確率は異ならせてもよいし、同一でもよい。例えば、１個の特別図柄抽選の保留数が４個等に制限されている場合、２個以上の特別図柄始動入賞口を設けることで、４×設置数の保留を持たせることができる。
【０１３５】
また、第２の実施の形態では、振分機構部２２０の往復回転を、遊技球ＰＢとの干渉に依存させるようにしたが、例えば、回転軸２２２をソレノイドやモータ等の駆動力で回転させ、特定の位置で固定させるようにすれば、所望の振分率を設定することができる。
【０１３６】
逆に、振分機構部２２０を、所謂風車の如く、完全にフリーな状態として、遊技球ＰＢとの干渉で、左右の何れに案内するかが不明確となる構造としてもよい。
【０１３７】
さらに、特別図柄始動入賞口１３０への振分率の調整として、振り分け方向を３以上設けるようにしてもよい。
【０１３８】
また、第２の実施の形態では、単一の振分機構部２２０としたが複数の振分部を設け、この複数の振分機構部を遊技球ＰＢが順次通過するように設け、複数回の振り分けによって遊技球ＰＢを様々な方向へ案内するようにしてもよい。
【０１３９】
さらに、第２の実施の形態では、電動チューリップ２０２が閉止状態の場合は、突起部２０４により、普通電動役物装置２００Ａ内に遊技球ＰＢを流入させない構造としたが、特別図柄始動入賞口１３０への入賞率に基づき、突起部２０４を排除して、電動チューリップ２０２の閉止状態でも遊技球ＰＢが入り得る構造としてもよい。
【符号の説明】
【０１４０】
ＰＢ    遊技球
１０    パチンコ機
１２    下飾り
１４    ガラス板
１６    ガラス枠
１８    遊技盤
１９    釘
２１    風車
２４    一体皿
２６    グリップユニット
２７    鍵穴
２８Ｕ    上皿部
２８Ｄ    下皿部
３２    周縁壁部
３６    球抜きボタン
４２    球貸ボタン
４４    返却ボタン
５０    操作部
６０（６０Ｌ、６０Ｒ、６０Ｕ）    スピーカ
１０２    外レール
１０４    内レール
１０５    センター役物
１０５Ｓ    ステージ
１０６    表示部
１０９    ガイドランプユニット
１１２    アタッカー
１１２Ｓ    アタッカーセンサ
１１６    開閉扉
１１８Ａ    通過ゲート
１１８ＡＳ    通過ゲートセンサ
１１８Ｂ    通過ゲート
１１８ＢＳ    通過ゲートセンサ
１２０（１２０Ａ、１２０Ｂ）    一般入賞口
１２０Ｃ    一般入賞口１
１２０ＣＳ    一般入賞口センサ
１２４    アウト口
１３０    特別図柄始動入賞口
１３０Ｓ    特図始動入賞口センサ
１３７    光源
１４７    電動チューリップソレノイド
１４８    アタッカーソレノイド
１５０    主制御部
１５２    演出制御部
１５４    払出制御部
１６０    払出装置
１６４    発射制御部
１６５    発射装置
１９０    外部端子
１９１    外部端子
２００    普通電動役物装置（電動役物装置）
２０２    電動チューリップ（可動部材）
２０４    突起部
２０６    振分機構部
２０８    円筒部
２１０    振分部
２１１    球受路
２１２    皿部
２１４    流路
２１５    流路
２１６    保留ランプユニット
（第２の実施の形態）
２００Ａ    普通電動役物装置
２２０    振分機構部
２２２    回転軸
２２４Ａ、２２４Ｂ、２２４Ｃ    羽根板
２２６    ストッパ
２２８    流路
２３０    流路
【図１】
2015083092.tif 000003
【図２】
2015083092.tif 000004
【図３】
2015083092.tif 000005
【図４】
2015083092.tif 000006
【図５】
2015083092.tif 000007